(57)【要約】      （修正有）【課題】  携帯端末を載置する際に、電気的な接触が安定していると共に、端子の摩耗寿命を延ばすことができる充電器を提供する。【解決手段】  充電器側の充電端子５は、支承端子１５により弾性的に支持されて窓部１７から内方に突出している。充電器に携帯型バーコードリーダが載置されると、回転接触端子１６が携帯型バーコードリーダの受電端子４に押圧される。このとき、回転接触端子１６が回転して受電端子４に対する接触位置が変化するので、充電端子５による受電端子４に対する接触状態を良好とすることができる。また、回転接触端子１６が支承端子１５を構成するバネ部１５ｂの弾性力により受電端子４に圧接するので、十分なたわみ量を有したバネ部１５ｂにより回転接触端子１６を受電端子４に確実に接触させることができる。【選択図】  図５
2006049123.tif 000002
【特許請求の範囲】
【請求項１】
筐体外面に受電端子を有した携帯端末が載置された状態で上記受電端子に接触することにより充電する充電端子を備えた充電器であって、
前記充電端子は、
前記受電端子への接触状態で当該受電端子に電気的に導通する回転接触端子と、
この回転接触端子を電気的に導通した状態で回転可能に支承し、前記回転接触端子が前記受電端子に接触した状態で当該回転接触端子を前記受電端子に弾性的に圧接させる導電性の支承端子とから構成され、
前記回転接触端子は、前記携帯端末が載置される際に前記受電端子に対して圧接状態で回転することを特徴とする充電器。
【請求項２】
前記回転接触端子は、前記受電端子に接触する所定の直径を有する転がり接点部と、この転がり接点部よりも直径の小さな回転支承部とを備え、
前記支承端子は、前記回転支承部を回転可能に支承する複数の受部と、これらの受部を前記受電端子に対してほぼ垂直方向に圧接可能に支持するバネ部とを備えていることを特徴とする請求項１記載の充電器。
【請求項３】
前記回転接触端子の前記転がり接点部はほぼ円筒形状であり、
前記支承端子の受部は、前記回転接触端子を円筒形状の中心軸を中心として回転可能に支持することを特徴とする請求項２記載の充電器。
【請求項４】
前記回転接触端子の前記転がり接点部は、中央部となる程径大に形成されていることを特徴とする請求項３記載の充電器。
【請求項５】
前記回転接触端子は、球形状に形成され、
前記支承端子の受部は、前記回転接触端子を球形状の中心に対して対称となる少なくとも２箇所を回転可能に支持することを特徴とする請求項１記載の充電器。
【請求項６】
前記支承端子は、前記複数の受部に１対１で対応した複数のバネ部を有し、
それらの複数のバネ部は、それぞれが独立に前記受部を前記携帯端末の受電端子に対してほぼ垂直方向に圧接することを特徴とする請求項２ないし５の何れかに記載の充電器。
【発明の詳細な説明】
【技術分野】
【０００１】
本発明は、筐体外面に受電端子を有した携帯端末が載置された状態で上記受電端子に接触することにより充電する充電端子を備えた充電器に関する。
【背景技術】
【０００２】
例えば携帯電話機が充電器に載置された状態では、充電器の充電端子が携帯電話機の受電端子に導通することにより、携帯電話機に内蔵された電池パックに充電するようにしている。この充電端子は、携帯電話機が充電器に載置された状態で携帯電話機の受電端子に押されて没入することにより、受電端子に付勢された点接触状態で通電するようになっている。
【０００３】
このような充電端子を用いた充電では、充電端子の先端が酸化して接触不良を生じることがあることから、充電端子として円形状の接触端子により通電するものが提案されている。このような構成として、特許文献１のものでは、円型接触子を弾性状の接触部により導電対象面に対してほぼ垂直方向に圧接することにより通電するようにしている。
【特許文献１】特開２００１−２４４０３４号公報
【発明の開示】
【発明が解決しようとする課題】
【０００４】
しかしながら、特許文献１のものは、円型接触子を弾性状の接触部により圧接させているため、接触による導電面とバネ圧による圧接面とが同じ面となり、摩耗による劣化が早い。また、十分なたわみ量をもったバネ特性が得られないために接触対象面の位置が変化した場合に追従しきれない（接触しない）と共に、端子相互の角度が傾いた場合に良好な接触状態が得られない等の問題があった。
【０００５】
本発明は上記事情に鑑みてなされたもので、その目的は、携帯端末を載置する際に、電気的な接触が安定していると共に、端子の摩耗寿命を延ばすことができる充電器を提供することにある。
【課題を解決するための手段】
【０００６】
請求項１の発明によれば、充電器に携帯端末を載置すると、回転接触端子が受電端子に接触する。このとき、回転接触端子は、支承端子により受電端子に圧接しているので、その圧接状態で回転する。これにより、接触による導電面とバネによる圧力面とが同じ面である構成に比較して、回転接触端子による受電端子に対する接触部位が変化し、摩耗による早期劣化、接触不良などを防止できる。
【０００７】
請求項２の発明によれば、回転接触端子は、所定の直径を有する転がり接点部で受電端子に接触すると共に、複数の受部がバネ部で支持されることにより受電端子に対してほぼ垂直方向に圧接するので、回転接触端子が受電端子に対して傾いた場合であっても、両者の接触状態を良好に維持することができる。
請求項３の発明によれば、回転接触端子の転がり接点部は、受電端子に対して広い部位で接触するので、両者の接触状態を良好とすることができる。
【０００８】
請求項４の発明によれば、回転接触端子の転がり接点部は、中央部となる程径大に形成されているので、回転接触端子が受電端子に対して傾いた場合であっても、両者の接触状態が変わらず、両者の接触状態を良好に維持することができる。
請求項５の発明によれば、回転接触端子は球形状であり、いずれの方向にも回転可能に支承端子の受部で支持されているので、受電端子がいずれの方向に傾いた場合であっても、両者の接触状態が変わらず、両者の接触状態を良好に維持することができる。
【０００９】
請求項６の発明によれば、複数のバネ部は独立して受電端子にほぼ垂直方向に圧接するので、受電端子に対する回転接触端子の圧接方向が傾くにしても、両者の接触状態を良好に維持することができる。
【発明を実施するための最良の形態】
【００１０】
（第１実施例）
以下、本発明を携帯型バーコードリーダに適用した第１実施例について図１ないし図５を参照して説明する。
図２は携帯型バーコードリーダの正面図である。この図２において、充電器１には携帯型バーコードリーダ（携帯端末に相当）２が載置されており、携帯型バーコードリーダ２が載置された状態で商用交流電源３（図１参照）から携帯型バーコードリーダ２に充電するようになっている。つまり、充電器１及び携帯型バーコードリーダ２には受電端子４、充電端子５（図１参照）がそれぞれ設けられおり、充電器１に携帯型バーコードリーダ２が載置された状態では、それらの受電端子４及び充電端子５同士が導通接触することにより充電が行われるようになっている。
【００１１】
また、充電器１及び携帯型バーコードリーダ２には光通信機能が設けられており、充電器１に携帯型バーコードリーダ２が載置された状態で当該携帯型バーコードリーダ２に記憶された読取情報が光通信により充電器１側に送信可能となっている。
図１は充電器１及び携帯型バーコードリーダ２の構成を概略的に示す機能ブロック図である。この図１において、充電器１は、電源回路６、充電回路７、充電検出回路８、通信制御回路９から構成されている。一方、携帯型バーコードリーダ２は、制御部１０、警音部１１、通信回路１２、電源用の二次電池１３から構成されている。
【００１２】
充電器１において、充電回路７は、電源回路６からの給電状態で充電端子５、受電端子４を通じて充電器１に載置された携帯型バーコードリーダ２の二次電池１３に充電する。
充電検出回路８は、充電回路７による充電状態を監視しており、その充電状態を通信制御回路９を通じて携帯型バーコードリーダ２の通信回路１２に送信する。
通信制御回路９はパソコン１４と接続されており、携帯型バーコードリーダ２が読取ったコード情報をパソコン１４に送信するようになっている。
【００１３】
携帯型バーコードリーダ２において、二次電池１３は図示しない電源スイッチがオンに切換えられた状態で携帯型バーコードリーダ２の内部回路に給電すると共に、電源スイッチのオンオフ状態にかかわらず充電器１の充電回路７により充電されるようになっている。
制御部１０は、通信回路１２を通じて充電器１から通知された充電状態に基いて充電開始したかを判断し、充電開始しなかったときは充電不良であると判断して警音部１１を駆動するようになっている。
【００１４】
次に、充電器１の充電端子５の構造について説明する。
図３は充電端子５の分解斜視図である。この図３において、充電端子５は、支承端子１５の先端に回転接触端子１６を回転可能に支持するように構成されている。支承端子１５は、弾性を有する例えば真鍮板を金型形成してなり、支柱部１５ａの先端に所定距離離間した二股状のバネ部１５ｂを連結し、そのバネ部１５ｂの先端に所定径の湾曲形状を形成する共に、その反対側に同一の湾曲形状の部材を接合して所定径の環状の受部１５ｃを形成して構成されている。この支承端子１５は、充電回路７と接続されており、充電回路７からの充電電流を受けるようになっている。
【００１５】
回転接触端子１６は、所定の直径を有する円筒状の転がり接点部１６ａと、この転がり接点部１６ａの中心軸に設けられた当該転がり接点部１６ａよりも直径が小さな回転支承部１６ｂとから構成されている。この転がり接点部１６ａの表面は、接触状態が安定する金メッキが施されている。また、回転支承部１６ｂは、摩擦抵抗が比較的小さい砲金などの銅合金から形成されている。
【００１６】
上記構成の回転接触端子１６の回転支承部１６ｂは支承端子１５の先端に形成された受部１５ｃに挿入されており、その挿入状態で、図４に示すように回転接触端子１６の転がり接点部１６ａが支承端子１５の二股状のバネ部１５ｂ間に位置している。また、回転接触端子１６が支承端子１５に支持された形態では、図５（ａ）に示すように回転接触端子１６が充電器１に形成された窓部１７から内方に突出している。
【００１７】
さて、使用者が携帯型バーコードリーダ２による読取操作を終了して、充電器１を充電器１に載置すると、携帯型バーコードリーダ２の回転接触端子１６が充電器１の受電端子４に接触するので、充電器１に設けられた充電回路７から携帯型バーコードリーダ２の二次電池１３に充電開始される。
このように携帯型バーコードリーダ２を充電器１に載置した場合、携帯型バーコードリーダ２の受電端子４が充電器１の窓部１７を通過するので、充電器１の窓部１７から内方に突出していた充電端子５の回転接触端子１６が携帯型バーコードリーダ２の受電端子４により押されて図５（ｂ）に示す位置に移動する。
【００１８】
このとき、回転接触端子１６が受電端子４に押圧した状態で受電端子４が移動するので、受電端子４の移動に伴って回転接触端子１６が回転し、受電端子４の接触位置が変化するようになる。
また、図５（ｂ）に示すように回転接触端子１６が移動した状態では、回転接触端子１６が支承端子１５を構成するバネ部１５ｂの弾性力により受電端子４に圧接するので、十分なたわみ量を有したバネ部１５ｂにより回転接触端子１６を受電端子４に確実に接触させることができる。尚、本発明で言う圧接とは、圧力を付勢した状態で部材同士が接するという意味であり、接合を意味するものではない。
【００１９】
このような実施例によれば、充電端子５を構成する回転接触端子１６として、径大な転がり接点部１６ａを径小な回転支承部１６ｂを介して支承端子１５で支持することにより、携帯型バーコードリーダ２を充電器１に載置する際に回転接触端子１６が携帯型バーコードリーダ２の受電端子４に圧接状態で回転するようにしたので、接触による導電面とバネ圧による圧力面とが同じ面である従来例のものと違って、回転接触端子１６による受電端子４に対する接触部位が変化し、摩耗による早期劣化を防止することができる。
【００２０】
また、回転接触端子１６を、バネ部１５ｂを有した支承端子１５で支承することにより十分なたわみ量を有したもったバネ特性を得られるようにしたので、携帯型バーコードリーダ２の受電端子４の傾きが変化した場合であっても、その変化に追従することができ、携帯型バーコードリーダ２を安定して充電することができる。
【００２１】
（第２実施例）
次に本発明の第２実施例について図６及び図７を参照して説明する。この第２実施例は、第１実施例で示した充電端子の回転接触端子の形状を工夫したものである。
充電端子を示す図６において、充電端子２１を構成する回転接触端子２２は、中心となる程径大となる膨出形状に形成されており、支承端子２３を構成するバネ部２３ａの先端に設けられた受部２３ｂで回転可能に支持されている。
このような構成の受電端子２１を有した充電器１に携帯型バーコードリーダ２を載置すると、携帯型バーコードリーダ２の受電端子４に対して回転接触端子２２の最も径大な中央部が接触するので、図６に示すように回転接触端子２２を受電端子４に確実に接触させることができる。
【００２２】
また、携帯型バーコードリーダ２の受電端子４が傾いた場合は、図７に示すように回転接触端子２２の中央部から外れた部位が受電端子４に対してほぼ垂直方向に圧接するので、受電端子４に傾きが発生した場合であっても、回転接触端子２２による受電端子４に対する良好な接触状態を維持することができる。
【００２３】
（第３実施例）
次に本発明の第３実施例について図８及び図９を参照して説明する。この第３実施例は、回転接触端子を球形状としたことに特徴を有する。
充電端子を示す図８において、充電端子３１を構成する回転接触端子３２は球形状をなしており、その球形状の中心に対して対称となる２箇所で支承端子３３を構成するバネ部３３ａの先端に設けられた受部３３ｂにより回転可能に支持されている。即ち、図９に示すように支承端子３３の先端に形成された受部３３ｂの内面は凹面をなしており、その凹面により回転接触端子３２の対向する２箇所の凸面を摺動自在に支持している。
【００２４】
このような構成の充電端子３１を有した充電器１に携帯型バーコードリーダ２を載置すると、回転接触端子３２が携帯型バーコードリーダ２の受電端子４に接触して回転するので、携帯型バーコードリーダ２の受電端子４への接触部位を変化させることができる。
また、携帯型バーコードリーダ２の受電端子４が傾いた場合であっても、第２実施例と同様に、受電端子４に対して回転接触端子３２をほぼ垂直に接触することができ、安定した接触を得ることができる。
【００２５】
さらに、回転接触端子３２が球形状であることから、携帯型バーコードリーダ２の受電端子４のどのような傾きに対しても追従することができると共に、回転接触端子３２の球面全体を接触面として使用することができ、回転接触端子３２の早期摩耗を一層防止することができる。
【００２６】
（第４実施例）
次に本発明の第４実施例について図１０に基づいて説明する。この第４実施例は、回転接触端子の両端を独立して支持したことを特徴とする。
受電端子の支承端子を示す図１０において、充電端子４１を構成する支承端子４２は、２個の独立したバネ部４２ａの先端に受部４２ｂを有してなり、その受部４２ｂに回転接触端子１６の両側を独立に回転可能に支持するようになっている。
このような構成の接触端子を有した充電器１に携帯型バーコードリーダ２を載置すると、回転接触端子１６が携帯型バーコードリーダ２の受電端子４によって押され、回転接触端子１６を支持している支承端子４２が撓むようになる。この場合、支承端子４２は、回転接触端子１６の両側を独立に支持しているので、携帯型バーコードリーダ２の受電端子４との相互の角度変動に確実に対応することができる。
【００２７】
本発明は、上記実施例に限定されることなく、次のように変形または拡張できる。
複数の回転接触端子１６を支承端子１５で支持するように構成してもよい。
回転接触端子１６が回転する際に、横方向にスライドすることにより受電端子４に対する接触位置を変化させるようにしてもよい。
【図面の簡単な説明】
【００２８】
【図１】本発明の第１実施例を示す携帯型バーコードリーダの電気的構成を示す図
【図２】充電器に載置された携帯型バーコードリーダを示す正面図
【図３】充電端子の斜視図
【図４】充電端子の側面図
【図５】（ａ）充電端子の側面図、（ｂ）受電端子への接触状態を示す充電端子の側面図
【図６】本発明の第２実施例における充電端子を示す平面図
【図７】受電端子が傾いた状態で示す図６相当図
【図８】本発明の第３実施例における充電端子を示す斜視図
【図９】充電端子の正面図
【図１０】本発明の第４実施例における充電端子の支承端子を示す斜視図
【符号の説明】
【００２９】
図面中、１は充電器、２は携帯型バーコードリーダ（携帯端末）、４は受電端子、５は充電端子、１５は支承端子、１５ｂはバネ部、１５ｃは受部、１６は回転接触端子、１６ａは転がり接点部、１６ｂは回転支承部、２１は受電端子、２２は回転接触端子、２３は支承端子、２３ａはバネ部、２３ｂは受部、３１は受電端子、３２は回転接触端子、３３は支承端子、３３ａはバネ部、３３ｂは受部、４１は充電端子、４２は支承端子、４２ａはバネ部、４２ｂは受部である。
【図１】
2006049123.tif 000003
【図２】
2006049123.tif 000004
【図３】
2006049123.tif 000005
【図４】
2006049123.tif 000006
【図５】
2006049123.tif 000007
【図６】
2006049123.tif 000008
【図７】
2006049123.tif 000009
【図８】
2006049123.tif 000010
【図９】
2006049123.tif 000011
【図１０】
2006049123.tif 000012